(57)【要約】【課題】発注者によって情報の開示・入力に制限を加えることができる受発注システムの情報開示・入力制限制御装置を供する。【解決手段】受注者側サーバＳと種々の発注者側端末Ｔとをネットワークを介して相互に交信可能に構築され受信側サーバＳに備える種々のデータベースに記録される情報を発注者側端末Ｔからのアクセスにより開示および入力することができる受発注システム１において、予め階層別に分別された発注者の階層を識別する階層識別手段ｓ１と、階層ごとに提供する受発注情報の開示および情報の入力に制限を加える開示・入力制限手段ｓ２とを備えた受発注システムの情報開示・入力制限制御装置。【選択図】  図２
2004152081.tif 000002
【特許請求の範囲】
【請求項１】
受注者側サーバと種々の発注者側端末とをネットワークを介して相互に交信可能に構築され前記受信側サーバに備える種々のデータベースに記録される情報を前記発注者側端末からのアクセスにより開示および入力することができる受発注システムにおいて、
予め階層別に分別された発注者の階層を識別する階層識別手段と、
階層ごとに提供する受発注情報の開示および情報の入力に制限を加える開示・入力制限手段とを備えたことを特徴とする受発注システムの情報開示・入力制限制御装置。
【請求項２】
前記開示・入力制限手段は、発注者の階層別に開示を許可する情報開示画面および入力を許可する情報入力画面のみを選択表示するよう制御することを特徴とする請求項１記載の受発注システムの情報開示・入力制限制御装置。
【請求項３】
状況に変化があったときに前記発注者の階層別分別を見直し更新する随時更新手段を備えたことを特徴とする請求項１または請求項２記載の受発注システムの情報開示・入力制限制御装置。
【請求項４】
発注者からの要望があったときに前記発注者の階層別分別を見直し更新する要望更新手段を備えたことを特徴とする請求項１から請求項３までのいずれかの項記載の受発注システムの情報開示・入力制限制御装置。
【請求項５】
発注者ごと個別にその階層の受発注情報の開示制限事項および入力制限事項を変更する個別変更手段を備えたことを特徴とする請求項１から請求項４までのいずれかの項記載の受発注システムの情報開示・入力制限制御装置。
【発明の詳細な説明】
【０００１】
【発明の属する技術分野】
本発明は、ネットワークを介して受注者と複数の発注者との間に構築された受発注システムに関する。
【０００２】
【従来の技術】
この種の受発注システムにおいて発注者側端末からのアクセスにより情報が開示されるとともに情報を入力することができるようにした例がある（例えば、特許文献１参照）。
【０００３】
【特許文献１】
特開２００２−５６２９８号公報
【０００４】
特許文献１に開示された受発注システムでは、発注者は誰でも開示された情報を見ることができ、また入力を許可されている情報を入力することができる。
【０００５】
【発明が解決しようとする課題】
しかし発注者によっては一部の情報を開示することが受注者側にとって不都合である場合がある。
また発注者によっては一部の情報を入力（変更）してもらっては困る場合もある。
【０００６】
本発明は、斯かる点に鑑みなされたもので、その目的とする処は、発注者によって情報の開示・入力に制限を加えることができる受発注システムの情報開示・入力制限制御装置を供する点にある。
【課題を解決するための手段及び作用効果】
上記目的を達成するために、本請求項１記載の発明は、受注者側サーバと種々の発注者側端末とをネットワークを介して相互に交信可能に構築され前記受信側サーバに備える種々のデータベースに記録される情報を前記発注者側端末からのアクセスにより開示および入力することができる受発注システムにおいて、予め階層別に分別された発注者の階層を識別する階層識別手段と、階層ごとに提供する受発注情報の開示および情報の入力に制限を加える開示・入力制限手段とを備えた受発注システムの情報開示・入力制限制御装置とした。
【０００７】
発注者から受注者側サーバにアクセスがあると、階層識別手段がその発注者の階層を識別し、開示・入力制限手段が受発注情報の開示および情報の入力に該発注者の階層に対応した制限を加えるので、発注者に応じて情報の開示および情報の入力が行えるようにすることができる。
【０００８】
請求項２記載の発明は、請求項１記載の受発注システムの情報開示・入力制限制御装置において、前記開示・入力制限手段は、発注者の階層別に開示を許可する情報開示画面および入力を許可する情報入力画面のみを選択表示するよう制御することを特徴とする。
【０００９】
発注者の階層別に開示を許可する情報開示画面および入力を許可する情報入力画面のみを選択表示することで、簡単な制御で発注者に応じた情報の開示および情報の入力が行える。
【００１０】
請求項３記載の発明は、請求項１または請求項２記載の受発注システムの情報開示・入力制限制御装置において、状況に変化があったときに前記発注者の階層別分別を見直し更新する随時更新手段を備えたことを特徴とする。
【００１１】
発注者の階層は固定するのではなく、状況の変化に応じて随時更新することにより実情に適した階層に発注者を識別し、受発注システムを実情に則して円滑に活用することができる。
【００１２】
請求項４記載の発明は、請求項１から請求項３までのいずれかの項記載の受発注システムの情報開示・入力制限制御装置において、発注者からの要望があったときに前記発注者の階層別分別を見直し更新する要望更新手段を備えたことを特徴とする。
【００１３】
発注者からの要望があったときに発注者の階層別分別を見直し更新することで、柔軟に対応して発注者に活用される受発注システムを構築することができる。
【００１４】
請求項５記載の発明は、請求項１から請求項４までのいずれかの項記載の受発注システムの情報開示・入力制限制御装置において、発注者ごと個別にその階層の受発注情報の開示制限事項および入力制限事項を変更する個別変更手段を備えたことを特徴とする。
【００１５】
発注者ごと個別にその階層の受発注情報の開示制限事項および入力制限事項を変更することで、発注者に最も適切な情報開示、情報入力を可能とする木目細かい受発注システムとすることができる。
【００１６】
【発明の実施の形態】
以下本発明に係る一実施の形態について図１ないし図５に基づき説明する。
本実施の形態の受発注システム１は、図１を参照して車輌およびその部品を一般販売店９へ卸す海外ディストリビュータ４、商品を海外で販売する直営販売店５、ディストリビュータ６や直営販売店７や一般販売店８を統括する地域統括会社３の３者が、部品の発注を行い、国内の部品事業本部２が受注する場合に適用したものである。
【００１７】
図１に示すように本受発注システム１は、部品事業本部２に設置された受注者側サーバＳと複数の地域統括会社３、海外ディストリビュータ４および海外直営販売店５の各発注者側端末Ｔとが、専用ＷＥＢ回線により交信可能に構成されている。
【００１８】
部品事業本部２の受注者側サーバＳには、上記発注者の情報を記録する発注者情報データベースＤｏｄ、商品情報を記録する商品情報データベースＤｐｒ、部品事業本部２における在庫状況を記録する在庫情報データベースＤｓｔ、受注情報を記録する受注情報データベースＤｒｏ、受注部品の仕掛情報を記録する仕掛情報データベースＤｏｐ、などの各種データベースが備えられている。
【００１９】
これら各種データベースは、ＬＡＮ回線により受注者側サーバＳと接続されている。
前記地域統括会社３、海外ディストリビュータ４および海外直営販売店５の複数の発注者は、部品事業本部２の判断によって第１，第２，第３階層の３つの階層のいずれかに属するように予め階層別に分別されている。
【００２０】
この階層別の分別は、受発注情報の開示および情報の入力に制限を加えるためのもので、第１階層の発注者は部品事業本部２と最も関係密度が高く情報の開示の制限および情報の入力の制限が最も緩い階層であり、第３階層の発注者は部品事業本部２と最も関係密度が低くこの制限の最も厳しい階層であり、第２階層の発注者はその中間にある。
【００２１】
基本的に地域統括会社３は第１階層に属し、海外ディストリビュータ４は第２階層以上であり、直営販売店５は第３階層に属する。
前記発注者情報データベースＤｏｄには、発注者ごとにこの階層情報および開示制限情報、入力制限情報が記録されている。
【００２２】
図２に示すように発注者側端末Ｔは、入力手段ｔ１および画像表示手段ｔ２を備えるとともに専用ＷＥＢ回線を使って情報の伝達を行なう送受信手段ｔ３を備えたコンピュータシステムである。
【００２３】
入力手段ｔ１は、部品を発注するとき、受信者側サーバＳにアクセスするとき、情報を送信するときなどに使用され、画像表示手段ｔ２は受信者側サーバＳから入手した情報などを表示する。
【００２４】
一方受注者側サーバＳは、発注者情報データベースＤｏｄに基づいて発注者の階層を識別する階層識別手段ｓ１、階層識別手段ｓ１により識別された階層に対応した情報表示画面を選択する情報表示画面選択手段ｓ２、発注者情報データベースＤｏｄの内容を変更する変更入力手段ｓ３、発注者が送信してきた情報を各種データベースに入力する情報入力手段ｓ４および専用ＷＥＢ回線を使って情報の伝達を行なう送受信手段ｓ５などを備えたコンピュータシステムである。
【００２５】
情報表示画面選択手段ｓ２により各階層ごとに選択される情報表示画面を表にしたものを図３に示す。
第１，第２，第３階層の各階層のメニューに載せられる情報表示画面の例を示した表である。
各種情報表示画面のうち各階層で開示が許される画面あるいは情報の入力（更新、改変を含む）が許される画面には”ＯＫ”が記されている。
【００２６】
すなわち第１階層メニューには、第１階層の欄で”ＯＫ”が記載された情報表示画面が載せられ、第２階層メニューには、第２階層の欄で”ＯＫ”が記載された情報表示画面が載せられ、第３階層メニューには、第３階層の欄で”ＯＫ”が記載された情報表示画面が載せられる。
【００２７】
例えば情報開示画面についてみると、注文照会画面は、全階層で表示可能であるが、仕掛／出荷  照会画面は、第１，第２階層のみ表示でき、第３階層では表示できない。
【００２８】
また情報入力画面についてみると、注文入力（ファイルにより転送）画面や出荷案内画面は、第１，第２，第３階層のいずれの階層でも表示できる画面として各階層のメニューに入っているが、販売店別メンテナンス画面は、第１階層と第２階層のみ表示でき、またユーザ（ディストリビュータまたは直営販売店）別メンテナンス画面は第１階層のみ表示可能である。
【００２９】
さらに情報開示と情報入力の双方が可能な画面については、注文書の処理／保留画面が、第１，第２階層のみ表示可能で、第３階層では表示できない。
なお管理資料とは帳票類であり、過剰在庫流用情報とは古い在庫で処分を欲する部品についての競売情報のことである。
【００３０】
図３に示された例では第１階層メニューには全ての情報表示画面が載せられていて、制限が全くされていない。
【００３１】
実際に発注者側端末Ｔから受注者側サーバＳにアクセスがあった場合の作業手順は、図４のフローチャートに示すようである。
発注者よりアクセスがあると（ステップ１）、発注者がどの階層にあるか発注者情報データベースＤｏｄに照合して確認する（ステップ２）。
【００３２】
そして第１階層と判別すれば（ステップ３）、ステップ５に飛び第１階層メニューを開示し、第１階層でなければステップ４に進み第２階層と判別すればステップ６に飛び第２階層メニューを開示し、第２階層でなければステップ７に進み第３階層メニューを開示する。
【００３３】
以上のように発注者を階層別に分別し、階層ごとに開示が許される画面あるいは情報の入力が許される画面のメニューが決められいるので、発注者によっては開示したり、入力されたりしては不都合な情報を容易に制限することができる。
【００３４】
なお発注者の階層や各階層のメニューは固定されたものではなく変更可能であり、前記変更入力手段ｓ３によって発注者情報データベースＤｏｄの内容を変更して行なわれる。
【００３５】
その発注者の階層や情報表示画面の変更作業手順について図５のフローチャートに従って説明する。
変更を必要とされる場合は、各地域の状況変化があったとき（ステップ１１）、発注者の追加があったとき（ステップ１２）、発注者個別に制限事項の修正が必要になったとき（ステップ１３）、地域統括会社からの要望があったとき（ステップ１４）である。
【００３６】
各地域の状況変化があったときは（ステップ１１）、ステップ１５に飛び発注者の階層を変更し（統廃合があれば新たに階層を決める）、ステップ１９に進む。
また発注者の追加があったときは（ステップ１２）、ステップ１６に飛び新規発注者の階層を決め、ステップ１９に進む。
【００３７】
また発注者個別に制限事項の修正が必要になったときは（ステップ１３）、ステップ１７に飛び該発注者の一部制限事項の解除または追加を行い、ステップ１９に進む。
【００３８】
また地域統括会社からの要望があったときは（ステップ１４）、国内部品事業本部２で認められるようであればステップ１８に飛び情報の開示事項または入力事項の追加を行い、ステップ１９に進む。
【００３９】
ステップ１９では、ステップ１５，１６，１７，１８のいずれかのステップで階層または表示画面の変更に従って発注者情報データベースＤｏｄの内容を変更しておく。
【００４０】
以上のように発注者の階層や制限事項を固定せずに臨機応変に発注者ごと木目細かく変更することで、受発注システム１を実情に則して円滑に活用することができるシステムとすることができる。
【００４１】
以上の実施の形態では、表示画面ごとに制限していたが、同じ表示画面でも表示する事項ごとに開示や入力を制限するように制御してもよい。
【図面の簡単な説明】
【図１】本発明に係る一実施の形態に係る受発注システムの全体構成図である。
【図２】同受発注システムの情報開示・入力制限制御装置のブロック図である。
【図３】各階層のメニューに載せられる情報表示画面を示した表である。
【図４】発注者側端末から受注者側サーバにアクセスがあった場合の作業手順を示すフローチャートである。
【図５】発注者の階層や情報表示画面の変更作業手順を示すフローチャートである。
【符号の説明】
１…受発注システム、２…部品事業本部、３…地域統括会社、４…直営販売店、５…海外ディストリビュータ、６…ディストリビュータ、７…直営販売店、８…一般販売店、９…一般販売店、
Ｓ…受注者側サーバ、ｓ１…階層識別手段、ｓ２…情報表示画面選択手段、  ｓ３…更新・新規入力手段、ｓ４…情報入力手段、ｓ５…送受信手段、
Ｄｏｄ…発注者情報データベース、Ｄｐｒ…商品情報データベース、Ｄｒｏ…受注情報データベース、Ｄｓｔ…在庫情報データベース、Ｄｏｐ…仕掛情報データベース、Ｔ…発注者側端末、ｔ１…入力手段、ｔ２…画像表示手段、ｔ３…送受信手段。
【図１】
2004152081.tif 000003
【図２】
2004152081.tif 000004
【図３】
2004152081.tif 000005
【図４】
2004152081.tif 000006
【図５】
2004152081.tif 000007
【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
受注者側サーバと種々の発注者側端末とをネットワークを介して相互に交信可能に構築され、
前記受注者側サーバは、
発注者情報を階層情報とともに記録する発注者情報データベースと、
受発注情報および商品情報等の各種データを記録する各種データベースと、
前記各種データベースに発注者が送信してきた情報を入力する情報入力手段と、
予め階層別に分別された発注者の階層を識別する階層識別手段と、
階層ごとに提供する受発注情報の開示および情報の入力に制限を加える開示・入力制限手段と、
ネットワークを使って情報の伝達を行う受注者側送受信手段と、
前記発注者情報データベースの内容を更新する更新手段とを備え、
前記発注者側端末は、
情報を送信するため入力する入力手段と、
受注者から送信してきた情報を画像表示する画像表示手段と、
ネットワークを使って情報の伝達を行う発注者側送受信手段とを備え、
前記受信者側サーバに備えるデータベースに記録される情報を前記発注者側端末からのアクセスにより開示および入力することを特徴とする受発注システムの情報開示・入力制限制御装置。
【請求項２】
前記開示・入力制限手段は、発注者の階層別に開示を許可する情報開示画面および入力を許可する情報入力画面のみを選択表示するよう制御することを特徴とする請求項１記載の受発注システムの情報開示・入力制限制御装置。
【請求項３】
前記更新手段は、状況に変化があったときに前記発注者の階層別分別を見直し随時更新することを特徴とする請求項１または請求項２記載の受発注システムの情報開示・入力制限制御装置。
【請求項４】
前記更新手段は、発注者からの要望があったときに前記発注者の階層別分別を見直し更新することを特徴とする請求項１または請求項２記載の受発注システムの情報開示・入力制限制御装置。
【請求項５】
前記更新手段は、発注者ごと個別にその階層の受発注情報の開示制限事項および入力制限事項を変更することを特徴とする請求項１または請求項２記載の受発注システムの情報開示・入力制限制御装置。
【手続補正２】
【補正対象書類名】明細書
【補正対象項目名】０００６
【補正方法】変更
【補正の内容】
【０００６】
本発明は、斯かる点に鑑みなされたもので、その目的とする処は、発注者によって情報の開示・入力に制限を加えることができる受発注システムの情報開示・入力制限制御装置を供する点にある。
【課題を解決するための手段及び作用効果】
上記目的を達成するために、本請求項１記載の発明は、受注者側サーバと種々の発注者側端末とをネットワークを介して相互に交信可能に構築され、前記受注者側サーバは、発注者情報を階層情報とともに記録する発注者情報データベースと、受発注情報および商品情報等の各種データを記録する各種データベースと、前記各種データベースに発注者が送信してきた情報を入力する情報入力手段と、予め階層別に分別された発注者の階層を識別する階層識別手段と、階層ごとに提供する受発注情報の開示および情報の入力に制限を加える開示・入力制限手段と、ネットワークを使って情報の伝達を行う受注者側送受信手段と、前記発注者情報データベースの内容を更新する更新手段とを備え、前記発注者側端末は、情報を送信するため入力する入力手段と、受注者から送信してきた情報を画像表示する画像表示手段と、ネットワークを使って情報の伝達を行う発注者側送受信手段とを備え、前記受信者側サーバに備えるデータベースに記録される情報を前記発注者側端末からのアクセスにより開示および入力する受発注システムの情報開示・入力制限制御装置とした。


【手続補正３】
【補正対象書類名】明細書
【補正対象項目名】００１０
【補正方法】変更
【補正の内容】
【００１０】
請求項３記載の発明は、請求項１または請求項２記載の受発注システムの情報開示・入力制限制御装置において、前記更新手段が、状況に変化があったときに前記発注者の階層別分別を見直し随時更新することを特徴とする。


【手続補正４】
【補正対象書類名】明細書
【補正対象項目名】００１２
【補正方法】変更
【補正の内容】
【００１２】
請求項４記載の発明は、請求項１または請求項２記載の受発注システムの情報開示・入力制限制御装置において、前記更新手段が、発注者からの要望があったときに前記発注者の階層別分別を見直し更新することを特徴とする。


【手続補正５】
【補正対象書類名】明細書
【補正対象項目名】００１４
【補正方法】変更
【補正の内容】
【００１４】
請求項５記載の発明は、請求項１または請求項２記載の受発注システムの情報開示・入力制限制御装置において、前記更新手段が、発注者ごと個別にその階層の受発注情報の開示制限事項および入力制限事項を変更することを特徴とする。